(57)【要約】      （修正有）【課題】プリ発光時の発光バラツキを低減するとともに、本発光を適正に行って、被写体のストロボ照明を適正に行うことができるストロボ装置及び撮影装置を提供する。【解決手段】電源装置から端子Ｅを介してプリ発光用のトリガ印加電圧がスイッチＳＷ２に印加され、スイッチＳＷ２がＯＮになると、トリガ用トランスＴ１により高周波高電圧（トリガ電圧）を発生する。このトリガ電圧Ｖは、放電管４０の管壁に印加され、放電管４０内のキセノンガスがイオン化され励起する。プリ発光用のトリガ印加電圧の印加開始後のキセノンガスの励起中に、プリ発光用の発光制御電圧がスイッチＳＷ１に印加されると、メインコンデンサＣ２に蓄積された電荷が放電され、放電管４０に放電管電流Ｉ１が流れて発光エネルギーが与えられ、プリ発光が行われる。なお、本発光時にも同様の制御が行われる。【選択図】図２
2008009052.tif 000002
【特許請求の範囲】
【請求項１】
所定の物質が封入された放電管と、
前記放電管にトリガ電圧を印加して前記放電管内の物質をイオン化させるイオン化手段と、
前記トリガ電圧の印加を制御する第１のスイッチと、
前記放電管に流れる放電管電流の経路の接続／非接続を制御して、前記放電管の発光を制御する第２のスイッチと、
前記第１及び第２のスイッチを制御して、前記放電管を所定のプリ発光時間プリ発光させるプリ発光制御手段と、
前記プリ発光時に被写体からの反射光を測定する測定手段と、
前記測定手段により測定された反射光量に基づいて、本発光時間を算出する算出手段と、
前記第１及び第２のスイッチを制御して、前記放電管を前記算出された本発光時間本発光させる調光制御手段と、
を備えることを特徴とするストロボ装置。
【請求項２】
前記測定手段は、前記第２のスイッチにより前記放電管電流の経路が接続されている期間に調光積算期間を設定して、前記調光制御期間における前記被写体からの反射光を積算し、
前記調光制御手段は、前記第２のスイッチにより前記放電管電流の経路が接続されている期間に撮影手段の露光期間を設定することを特徴とする請求項１記載のストロボ装置。
【請求項３】
所定の物質が封入された放電管と、
前記放電管にトリガ電圧を印加して前記放電管内の物質をイオン化させて、前記放電管を発光させる発光制御手段と、
前記放電管の発光時に流れる放電管電流を検出する放電管電流検出手段と、
前記発光制御手段により前記放電管を所定のプリ発光時間プリ発光させる手段であって、前記放電管電流検出手段により検出された放電管電流に基づいて、前記プリ発光時間を制御するプリ発光制御手段と、
前記プリ発光時に被写体からの反射光を測定する測定手段と、
前記測定手段により測定された反射光量に基づいて、本発光時間を算出する算出手段と、
前記発光制御手段により前記放電管を前記算出された本発光時間本発光させる手段であって、前記放電管電流検出手段により検出された放電管電流に基づいて、前記本発光時間を制御する調光制御手段と、
を備えることを特徴とするストロボ装置。
【請求項４】
前記放電管電流検出手段は、前記トリガ電圧の印加時に流れる電流を放電管電流として検出せず、前記トリガ電圧の印加後に流れる電流を放電管電流として検出することを特徴とする請求項３記載のストロボ装置。
【請求項５】
前記トリガ電圧の印加時に流れる電流をマスキングするマスキング手段を更に備えることを特徴とする請求項３記載のストロボ装置。
【請求項６】
所定の物質が封入された放電管と、
前記放電管にトリガ電圧を印加して前記放電管内の物質をイオン化させるイオン化手段と、
前記トリガ電圧の印加を制御する第１のスイッチと、
前記放電管に流れる放電管電流の経路の接続／非接続を制御して、前記放電管の発光を制御する第２のスイッチと、
前記放電管の発光時に流れる放電管電流を検出する放電管電流検出手段と、
前記第１及び第２のスイッチを制御して、前記放電管を所定のプリ発光時間プリ発光させる手段であって、前記放電管電流検出手段により検出された放電管電流に基づいて、プリ発光時間を制御するプリ発光制御手段と、
前記プリ発光時に被写体からの反射光を測定する測定手段と、
前記測定手段により測定された反射光量に基づいて、本発光時間を算出する算出手段と、
前記第１及び第２のスイッチを制御して、前記放電管を前記算出された本発光時間本発光させる手段であって、前記放電管電流検出手段により検出された放電管電流に基づいて、本発光時間を制御する調光制御手段と、
を備えることを特徴とするストロボ装置。
【請求項７】
前記放電管電流検出手段は、
前記放電管電流が流れる経路に配置された電源検出抵抗と、
前記電源検出抵抗に流れる放電管電流を検出する電流検出回路と、
を備えることを特徴とする請求項３から６のいずれか１項記載のストロボ装置。
【請求項８】
前記放電管電流検出手段は、
前記放電管電流が流れる経路に配置されたダイオードと、
前記ダイオードに放電管電流が流れるときに発生する発生電圧により、前記放電管電流を検出する手段と、
を備えることを特徴とする請求項３から６のいずれか１項記載のストロボ装置。
【請求項９】
前記測定手段は、前記第２のスイッチにより前記放電管電流の経路が接続されている期間に調光積算期間を設定して、前記調光制御期間における前記被写体からの反射光を積算し、
前記調光制御手段は、前記第２のスイッチにより前記放電管電流の経路が接続されている期間に撮影手段の露光期間を設定することを特徴とする請求項３から８のいずれか１項記載のストロボ装置。
【請求項１０】
流れる電流量に応じて発光する発光手段と、
前記発光手段に電圧を印加して、前記発光手段を発光させる発光制御手段と、
前記発光手段の発光時に流れる電流を検出する電流検出手段と、
前記電流検出手段からの出力に基づいて、前記発光手段に流れる電流量が一定になるように制御する定電流制御手段と、
前記発光制御手段により前記発光手段を所定のプリ発光時間プリ発光させるプリ発光制御手段と、
前記プリ発光時に被写体からの反射光を測定する測定手段と、
前記測定手段により測定された反射光量に基づいて、本発光時間を算出する算出手段と、
前記発光制御手段により前記発光手段を前記算出された本発光時間本発光させる調光制御手段と、
を備えることを特徴とするストロボ装置。
【請求項１１】
前記測定手段は、前記プリ発光の開始後、前記発光手段に流れる電流が安定するまでに見込まれた所定の時間経過後に調光積算期間を設定して、前記調光制御期間における前記被写体からの反射光を積算し、
前記調光制御手段は、前記本発光の開始後、前記発光手段に流れる電流が安定するまでに見込まれた所定の時間経過後に撮影手段の露光期間を設定することを特徴とする請求項１０記載のストロボ装置。
【請求項１２】
前記測定手段は、前記プリ発光の開始後、前記電流検出手段により前記発光手段に流れる電流が安定したことが検出されたとき以降に調光積算期間を設定して、前記調光制御期間における前記被写体からの反射光を積算し、
前記調光制御手段は、前記本発光の開始後、前記電流検出手段により前記発光手段に流れる電流が安定したことが検出されたとき以降に撮影手段の露光期間を設定することを特徴とする請求項１０記載のストロボ装置。
【請求項１３】
前記発光手段は、発光ダイオードであることを特徴とする請求項１０から１２のいずれか１項記載のストロボ装置。
【請求項１４】
請求項１から１３のいずれか１項記載のストロボ装置と、
前記本発光時に画像を撮像する撮影手段と、
を備えることを特徴とする撮影装置。
【発明の詳細な説明】
【技術分野】
【０００１】
本発明はストロボ装置及び撮影装置に係り、特に放電管や発光ダイオード（ＬＥＤ）を用いて被写体を照明するストロボ装置等に関する。
【背景技術】
【０００２】
従来、本撮影の前にストロボ放電管を発光（プリ発光）させ、調光センサや撮像素子を用いて被写体からの反射光を測光して、本撮影時のストロボの発光時間（本発光の時間）を算出する調光制御方式が用いられている（例えば、特許文献１）。
【０００３】
また、特許文献２には、放電管にトリガ電圧を与えて放電を開始させるためのトランスを有し、該トランスにより連続した交流電圧を放電管に印加して発光を開始させるようにした放電管の発光開始装置について開示されている。
【特許文献１】特開２００２−１３１８１０号公報
【特許文献２】特開２００３−２４９３９６号公報
【発明の開示】
【発明が解決しようとする課題】
【０００４】
ところで、従来の放電管は管内の物質（例えば、キセノンガス）をイオン化して発光するが、電圧の印加の仕方等によってイオン化から発光までの時間にバラツキが生じることがあった。また、発光ダイオードを用いたストロボ装置では、発光ダイオードのロットや周囲の温度によって順電圧が変化して発光量にバラツキが生じることがあった。
【０００５】
上記のような調光制御方式では、プリ発光時の発光量にバラツキが生じると本発光の発光量に影響する。例えば、プリ発光量が大きい場合には本発光が暗くなったり、プリ発光量が小さい場合には本発光が明るくなったりする。このため、撮影された画像の明るさが適正に調整できなくなるという問題があった。
【０００６】
本発明はこのような事情に鑑みてなされたもので、プリ発光時及び本発光時の発光バラツキを低減して、被写体のストロボ照明を適正に行うことができるストロボ装置及び撮影装置を提供することを目的とする。
【課題を解決するための手段】
【０００７】
上記目的を達成するために、本願請求項１に係るストロボ装置は、所定の物質が封入された放電管と、前記放電管にトリガ電圧を印加して前記放電管内の物質をイオン化させるイオン化手段と、前記トリガ電圧の印加を制御する第１のスイッチと、前記放電管に流れる放電管電流の経路の接続／非接続を制御して、前記放電管の発光を制御する第２のスイッチと、前記第１及び第２のスイッチを制御して、前記放電管を所定のプリ発光時間プリ発光させるプリ発光制御手段と、前記プリ発光時に被写体からの反射光を測定する測定手段と、前記測定手段により測定された反射光量に基づいて、本発光時間を算出する算出手段と、前記第１及び第２のスイッチを制御して、前記放電管を前記算出された本発光時間本発光させる調光制御手段とを備えることを特徴とする。
【０００８】
請求項１に係る発明によれば、トリガ電圧の印加を制御する第１のスイッチと、放電管電流の経路を制御するスイッチを独立に設けることにより、プリ発光、調光積算期間の発光バラツキが低減され、本発光を適正に行って、被写体のストロボ照明を適正に行うことができる。
【０００９】
請求項２に示すように、請求項１に係るストロボ装置において、前記測定手段は、前記第２のスイッチにより前記放電管電流の経路が接続されている期間に調光積算期間を設定して、前記調光制御期間における前記被写体からの反射光を積算し、前記調光制御手段は、前記第２のスイッチにより前記放電管電流の経路が接続されている期間に撮影手段の露光期間を設定すればよい。
【００１０】
請求項２に係る発明によれば、トリガ電圧の印加を制御する第１のスイッチと、放電管電流の経路を制御するスイッチを独立に設け、第２のスイッチがＯＮの期間を調光積算期間及び露光期間とすることにより、プリ発光、調光積算期間の発光バラツキが低減され、本発光を適正に行って、被写体のストロボ照明を適正に行うことができる。
【００１１】
請求項３に係るストロボ装置は、所定の物質が封入された放電管と、前記放電管にトリガ電圧を印加して前記放電管内の物質をイオン化させて、前記放電管を発光させる発光制御手段と、前記放電管の発光時に流れる放電管電流を検出する放電管電流検出手段と、前記発光制御手段により前記放電管を所定のプリ発光時間プリ発光させる手段であって、前記放電管電流検出手段により検出された放電管電流に基づいて、前記プリ発光時間を制御するプリ発光制御手段と、前記プリ発光時に被写体からの反射光を測定する測定手段と、前記測定手段により測定された反射光量に基づいて、本発光時間を算出する算出手段と、前記発光制御手段により前記放電管を前記算出された本発光時間本発光させる手段であって、前記放電管電流検出手段により検出された放電管電流に基づいて、前記本発光時間を制御する調光制御手段とを備えることを特徴とする。
【００１２】
請求項３に係る発明によれば、放電管電流が検出された期間に調光積算及び露光を行うことにより、プリ発光、調光積算期間の発光バラツキが低減され、本発光を適正に行って、被写体のストロボ照明を適正に行うことができる。
【００１３】
請求項４に示すように、請求項３に係るストロボ装置において、前記放電管電流検出手段は、前記トリガ電圧の印加時に流れる電流を放電管電流として検出せず、前記トリガ電圧の印加後に流れる電流を放電管電流として検出することが好ましい。
【００１４】
請求項４に係る発明によれば、トリガ電圧の印加時に流れるトリガ電流を放電管電流として誤って検出することを防止できる。
【００１５】
請求項５に係る発明は、請求項３に係るストロボ装置において、前記トリガ電圧の印加時に流れる電流をマスキングするマスキング手段を更に備えることを特徴とする。
【００１６】
請求項５に係る発明によれば、トリガ電圧の印加時に流れる電流をマスキングすることにより、トリガ電圧の印加時に流れるトリガ電流を放電管電流として誤って検出することを防止できる。
【００１７】
請求項６に係るストロボ装置は、所定の物質が封入された放電管と、前記放電管にトリガ電圧を印加して前記放電管内の物質をイオン化させるイオン化手段と、前記トリガ電圧の印加を制御する第１のスイッチと、前記放電管に流れる放電管電流の経路の接続／非接続を制御して、前記放電管の発光を制御する第２のスイッチと、前記放電管の発光時に流れる放電管電流を検出する放電管電流検出手段と、前記第１及び第２のスイッチを制御して、前記放電管を所定のプリ発光時間プリ発光させる手段であって、前記放電管電流検出手段により検出された放電管電流に基づいて、プリ発光時間を制御するプリ発光制御手段と、前記プリ発光時に被写体からの反射光を測定する測定手段と、前記測定手段により測定された反射光量に基づいて、本発光時間を算出する算出手段と、前記第１及び第２のスイッチを制御して、前記放電管を前記算出された本発光時間本発光させる手段であって、前記放電管電流検出手段により検出された放電管電流に基づいて、本発光時間を制御する調光制御手段とを備えることを特徴とする。
【００１８】
請求項６に係る発明によれば、放電管電流が検出された期間に調光積算及び露光を行うことにより、プリ発光、調光積算期間の発光バラツキが低減され、本発光を適正に行って、被写体のストロボ照明を適正に行うことができる。また、トリガ電圧の印加を制御する第１のスイッチと、放電管電流の経路を制御するスイッチを独立に設けることにより、トリガ電圧の印加時に流れるトリガ電流を放電管電流として誤って検出することを防止できる。
【００１９】
前記放電管電流検出手段は、請求項７に示すように、前記放電管電流が流れる経路に配置された電源検出抵抗と、前記電源検出抵抗に流れる放電管電流を検出する電流検出回路とを備えるものや、請求項８に示すように、前記放電管電流が流れる経路に配置されたダイオードと、前記ダイオードに放電管電流が流れるときに発生する発生電圧により、前記放電管電流を検出する手段とを備えるものを用いることができる。
【００２０】
請求項９に示すように、請求項３から８に係るストロボ装置において、前記測定手段は、前記第２のスイッチにより前記放電管電流の経路が接続されている期間に調光積算期間を設定して、前記調光制御期間における前記被写体からの反射光を積算し、前記調光制御手段は、前記第２のスイッチにより前記放電管電流の経路が接続されている期間に撮影手段の露光期間を設定すればよい。
【００２１】
請求項１０に係るストロボ装置は、流れる電流量に応じて発光する発光手段と、前記発光手段に電圧を印加して、前記発光手段を発光させる発光制御手段と、前記発光手段の発光時に流れる電流を検出する電流検出手段と、前記電流検出手段からの出力に基づいて、前記発光手段に流れる電流量が一定になるように制御する定電流制御手段と、前記発光制御手段により前記発光手段を所定のプリ発光時間プリ発光させるプリ発光制御手段と、前記プリ発光時に被写体からの反射光を測定する測定手段と、前記測定手段により測定された反射光量に基づいて、本発光時間を算出する算出手段と、前記発光制御手段により前記発光手段を前記算出された本発光時間本発光させる調光制御手段とを備えることを特徴とする。
【００２２】
請求項１０に係る発明によれば、発光手段のロットや温度変化により発光手段に流れる電流量が変動して生じる発酵バラツキを低減することができる。
【００２３】
請求項１１に係る発明は、請求項１０に係るストロボ装置において、前記測定手段が、前記プリ発光の開始後、前記発光手段に流れる電流が安定するまでに見込まれた所定の時間経過後に調光積算期間を設定して、前記調光制御期間における前記被写体からの反射光を積算し、前記調光制御手段は、前記本発光の開始後、前記発光手段に流れる電流が安定するまでに見込まれた所定の時間経過後に撮影手段の露光期間を設定することを特徴とする。
【００２４】
請求項１１に係る発明によれば、発光手段に流れる電流量が安定するまでの時間を予め見込んでおき、予め見込んだ時間の経過後に調光積算及び露光を行うことにより、プリ発光、調光積算期間の発光バラツキを低減し、本発光を適正に行って、被写体のストロボ照明を適正に行うことができる。
【００２５】
請求項１２に係る発明は、請求項１０に係るストロボ装置において、前記測定手段が、前記プリ発光の開始後、前記電流検出手段により前記発光手段に流れる電流が安定したことが検出されたとき以降に調光積算期間を設定して、前記調光制御期間における前記被写体からの反射光を積算し、前記調光制御手段は、前記本発光の開始後、前記電流検出手段により前記発光手段に流れる電流が安定したことが検出されたとき以降に撮影手段の露光期間を設定することを特徴とする。
【００２６】
請求項１２に係る発明によれば、発光手段に流れる電流量が安定したことが検出された後に、調光積算及び露光を行うことにより、プリ発光、調光積算期間の発光バラツキを低減し、本発光を適正に行って、被写体のストロボ照明を適正に行うことができる。
【００２７】
請求項１３に示すように、請求項１０から１２に係るストロボ装置では、前記発光手段として発光ダイオードを用いることができる。
【００２８】
請求項１４に係る撮影装置は、請求項１から１３のいずれか１項記載のストロボ装置と、前記本発光時に画像を撮像する撮影手段とを備えることを特徴とする。
【発明の効果】
【００２９】
本発明によれば、放電管や発光ダイオードの発光が安定した期間に、調光積算期間及び露光期間を設定することにより、プリ発光、調光積算期間の発光バラツキが低減され、本発光を適正に行って、被写体のストロボ照明を適正に行うことができる。
【発明を実施するための最良の形態】
【００３０】
以下、添付図面に従って本発明に係るストロボ装置及び該ストロボ装置を備えた撮影装置の好ましい実施の形態について説明する。
【００３１】
［撮影装置の構成］
図１は、本発明の一実施形態に係るストロボ装置を備える撮影装置（電子カメラ）の主要構成を示すブロック図である。図１に示すように、撮影装置１０は、ＣＰＵ１２と、操作部１４と、ＲＯＭ１６と、ＲＡＭ１８と、電源装置２０と、撮像部２２と、ストロボ装置２４と、モニタ２６と、メモリカード２８の接続用インターフェース（Ｉ／Ｆ）３０とを備えている。
【００３２】
ＣＰＵ１２は、撮影装置１０の各ブロックを制御する統括制御部である。操作部１４は、電源スイッチやレリーズスイッチ、各種設定ボタン等の操作入力手段を含むブロックである。
【００３３】
ＲＯＭ１６は、ＣＰＵ１２が処理するプログラム及び制御に必要な各種データ等を格納する。ＲＡＭ１８は、画像処理領域の他、ＣＰＵ１２が各種の演算処理等を行う作業用領域を有する。
【００３４】
電源装置２０は、撮影装置１０の各ブロックに電源を供給するためのブロックであり、例えば、電池やＡＣ電源等の外部電源である。電源装置２０は、ＤＣ／ＤＣコンバータを含んでおり、電池等から供給される電力を所要の電圧に変換して各回路ブロックに電源を供給する。
【００３５】
撮像部２２は、被写体を撮像するためのブロックであり、レンズや撮像素子３２（例えば、ＣＣＤ）を含んでいる。ストロボ装置２４については後述する。撮像部２２によって撮像された画像データは、ＣＰＵ１２のデジタル信号処理部３４によって処理されて、メモリカード２８に格納される。
【００３６】
また、撮像素子３２は、ストロボ装置２４のプリ発光時に被写体からの反射光を測定する。測光制御部３６は、プリ発光時に撮像素子３２によって検知された被写体からの反射光に基づいてストロボ装置２４の調光制御を行う。
【００３７】
モニタ２６は、撮影時に画角確認用の電子ファインダとして使用できるとともに、撮影した画像のプレビュー画や、撮影装置１０に装填されたメモリカード２８から読み出した再生画像等を表示する。
【００３８】
［第１の実施形態］
次に、ストロボ装置２４について説明する。図２は、本発明の第１の実施形態に係るストロボ装置を示す回路図である。図２に示すように、本実施形態のストロボ装置２４は、放電管４０、スイッチＳＷ１、ＳＷ２、トリガ用トランスＴ１、トリガ用コンデンサＣ１、メインコンデンサＣ２及びトリガ用コンデンサ充電抵抗Ｒ１を備える。スイッチＳＷ１及びＳＷ２は、例えば、ＩＧＢＴにより構成される。また、端子Ａ、Ｃ及びＥは電源装置２０（図１参照）に接続されており、端子Ｂは接地されている。
【００３９】
スイッチＳＷ２は、電源装置２０から端子Ｅに入力される制御電圧ＶＣによってそのＯＮ／ＯＦＦが制御され、トリガ電圧Ｖ１の印加を制御する。スイッチＳＷ１は、電源装置２０から端子Ｃに入力される発光制御電圧ＶＣによってそのＯＮ／ＯＦＦが制御され、放電管４０に流れる電流Ｉ１（Ｉ１１、Ｉ１２）を制御してプリ発光時間及び本発光時間を制御する。
【００４０】
放電管（例えば、キセノン管）４０は、発光に必要な発光電圧（ＤＣ３００Ｖ）を蓄えるメインコンデンサＣ２と並列に、スイッチＳＷ１を介して接続されている。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ２に接続されている。
【００４１】
以下、図２の回路の動作について説明する。スイッチＳＷ１及びＳＷ２がＯＦＦの間は、電源装置２０から電源入力端子Ａに供給された電力により、トリガ用コンデンサＣ１及びメインコンデンサＣ２に電荷が蓄積される。電源装置２０から端子Ｅを介してプリ発光用のトリガ印加電圧ＶＥ１がスイッチＳＷ２に印加され、スイッチＳＷ２がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。プリ発光用のトリガ印加電圧ＶＥ１の印加開始後のキセノンガスの励起中に、プリ発光用の発光制御電圧ＶＣ１がスイッチＳＷ１に印加されると、メインコンデンサＣ２に蓄積された電荷が放電され、放電管４０に放電管電流Ｉ１１が流れて発光エネルギーが与えられ、プリ発光が行われる。なお、本発光時にも同様の制御が行われる。
【００４２】
次に、本実施形態の調光制御方法について、図３を参照して説明する。図３は、本発明の第１の実施形態に係る調光制御方法を示すタイミングチャートである。まず、図３に示すように、電源装置２０から端子Ｅにトリガ印加電圧ＶＥ１が印加されてスイッチＳＷ２がＯＮになる。すると、第１のトリガ電圧Ｖ１１が放電管４０に印加されて、放電管４０内のキセノンガスがイオン化され励起する。そして、キセノンガスの励起中に、プリ発光用の発光制御電圧ＶＣ１がスイッチＳＷ１に印加されると、メインコンデンサＣ２に蓄積された電荷が放電され、放電管４０に放電管電流Ｉ１１が流れて発光エネルギーが与えられ、プリ発光が行われる。このプリ発光用の発光制御電圧ＶＣの印加期間（プリ発光期間）を調光積算期間として、撮像素子３２により被写体からの反射光を積算・測定する。このプリ発光時に撮像素子３２により測定された被写体からの反射光に基づいて、測光制御部３６によって本発光の発光時間が算出される。そして、算出された発光時間に基づいて本発光用の発光制御電圧ＶＣ２の印加される期間（本発光期間）が制御される。
【００４３】
そして、本発光時には、プリ発光時と同様に、トリガ印加電圧ＶＥ２がスイッチＳＷ２に印加され、トリガ用トランスＴ１から放電管４０にトリガ電圧Ｖ１２が印加され、キセノンガスがイオン化され励起される。そして、上記算出された本発光期間、発光制御電圧ＶＣ２が印加されて、本発光が行われる。
【００４４】
本実施形態によれば、トリガ電圧の印加を制御するスイッチＳＷ１と、放電管電流の接続／非接続を制御するスイッチＳＷ２を独立に設け、プリ発光用の発光制御電圧ＶＣ１が印加されスイッチＳＷ２がＯＮの期間（プリ発光期間）を調光積算期間とし、本発光用の発光制御電圧ＶＣ２が印加されスイッチＳＷ２がＯＮの（本発光期間）を露光期間とすることにより、プリ発光、調光積算期間の発光バラツキが低減され、本発光を適正に行って、被写体のストロボ照明を適正に行うことができる。
【００４５】
［第２の実施形態］
次に、本発明の第２の実施形態について説明する。図４は、本発明の第２の実施形態に係るストロボ装置を示す回路図である。図４に示すように、放電管（例えば、キセノン管）４０は、発光に必要な発光電圧（ＤＣ３００Ｖ）を蓄えるメインコンデンサＣ２と並列に、スイッチＳＷ１及び電流検出抵抗Ｒ２（ラインインピーダンスを含む）を介して接続されている。電流検出抵抗Ｒ２は、例えば、基準電圧、電圧比較器等から構成される電流検出回路４２に接続されている。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ１に接続されている。
【００４６】
次に、本実施形態の調光制御方法について、図５を参照して説明する。図５は、本発明の第２の実施形態に係る調光制御方法を示すタイミングチャートである。スイッチＳＷ１がＯＦＦの間は、電源装置２０から電源入力端子Ａに供給された電力により、トリガ用コンデンサＣ１及びメインコンデンサＣ２に電荷が蓄積される。電源装置２０から端子Ｃを介してプリ発光用の発光制御電圧ＶＣ１がスイッチＳＷ１に印加され、スイッチＳＷ１がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。そして、メインコンデンサＣ２に蓄積された電荷が放電され、放電管４０に放電管電流Ｉ１１が流れて発光エネルギーが与えられ、プリ発光が行われる。
【００４７】
放電管電流Ｉ１１は、電流検出抵抗Ｒ２により検出されて、電流検出回路４２により放電管電流Ｉ１１が流れ出すタイミングが検出され、端子Ｄに出力される。測光制御部３６は、端子Ｄから出力される電流検出出力ＤＩ１１により、放電管電流Ｉ１１が流れ出すタイミングを検出する。なお、トリガ電圧Ｖ１１の発生時には、トリガ用コンデンサＣ１からトリガ電流Ｉ２が電流検出抵抗Ｒ２に一瞬流れるので、電流検出回路４２は、このトリガ電流Ｉ２を放電管電流Ｉ１１として誤って検出しないように、例えば、放電管電流として検出すべき電流値の下限値が設定されるか、又は、電流が所定時間以上継続して流れた場合に放電管電流として検出するように設定されている。測光制御部３６は、電流検出回路４２により放電管電流Ｉ１１が所定のプリ発光期間流れたことが検出されたときに発光制御信号を停止させて発光制御電圧ＶＣ１の印加を停止し、放電管電流Ｉ１１が実際に流れる時間を制御する。
【００４８】
このプリ発光時に撮像素子３２により被写体からの反射光を積算・測定された被写体からの反射光に基づいて、測光制御部３６によって本発光の発光時間が算出される。
【００４９】
本発光時には、プリ発光時と同様に、本発光用の発光制御電圧ＶＣ２がスイッチＳＷ２に印加され、トリガ用トランスＴ１から放電管４０にトリガ電圧Ｖ１２が印加され、キセノンガスがイオン化され励起される。そして、上記算出された本発光期間本発光が行われる。本発光時に流れる放電管電流Ｉ１２は、電流検出抵抗Ｒ２により検出されて、電流検出回路４２により放電管電流Ｉ１２が流れ出すタイミングが検出される。測光制御部３６は、電流検出回路４２により放電管電流Ｉ１２がプリ発光時に算出された本発光時間流れたことが検出されたときに発光制御信号を停止させて発光制御電圧ＶＣ２の印加を停止し、放電管電流Ｉ１２が実際に流れる時間を制御する。
【００５０】
本実施形態によれば、放電管電流Ｉ１１が検出された期間（プリ発光期間）を調光積算期間とし、本発光時の放電管電流Ｉ１２の検出期間（本発光期間）を制御して露光期間を制御することにより、プリ発光、調光積算期間の発光バラツキが低減され、本発光を適正に行って、被写体のストロボ照明を適正に行うことができる。
【００５１】
［第３の実施形態］
次に、本発明の第３の実施形態について説明する。図６は、本発明の第３の実施形態に係るストロボ装置を示す回路図である。図６に示すように、放電管（例えば、キセノン管）４０は、発光に必要な発光電圧（ＤＣ３００Ｖ）を蓄えるメインコンデンサＣ２と並列に、スイッチＳＷ１及びダイオードＤ１を介して接続されている。ダイオードＤ１のアノード側は電流検出出力として使用される。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ１に接続されている。
【００５２】
次に、本実施形態の調光制御方法について、図７を参照して説明する。図７は、本発明の第３の実施形態に係る調光制御方法を示すタイミングチャートである。スイッチＳＷ１がＯＦＦの間は、電源装置２０から電源入力端子Ａに供給された電力により、トリガ用コンデンサＣ１及びメインコンデンサＣ２に電荷が蓄積される。電源装置２０から端子Ｃを介してプリ発光用の発光制御電圧ＶＣ１がスイッチＳＷ１に印加され、スイッチＳＷ１がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。そして、メインコンデンサＣ２に蓄積された電荷が放電され、放電管４０に放電管電流Ｉ１１が流れて発光エネルギーが与えられ、プリ発光が行われる。
【００５３】
放電管電流Ｉ１１は、ダイオードＤ１により検出されて、端子Ｄに出力される。測光制御部３６は、端子Ｄから出力される電流検出出力ＤＩ１１により、放電管電流Ｉ１１が流れ出すタイミングを検出する。なお、トリガ電圧Ｖ１１の発生時には、トリガ用コンデンサＣ１からトリガ電流Ｉ２がダイオードＤ１に一瞬流れるので（電流検出出力ＤＩ２１）、測光制御部３６は、２回目の電流検出出力ＤＩ１１を放電管電流Ｉ１１が流れ出すタイミングとして検出する。測光制御部３６は、ダイオードＤ１により放電管電流Ｉ１１が所定のプリ発光期間流れたことが検出されたときに発光制御信号を停止させて発光制御電圧ＶＣ１の印加を停止し、放電管電流Ｉ１１が実際に流れる時間を制御する。
【００５４】
このプリ発光時に撮像素子３２により被写体からの反射光を積算・測定された被写体からの反射光に基づいて、測光制御部３６によって本発光の発光時間が算出される。
【００５５】
本発光時には、プリ発光時と同様に、本発光用の発光制御電圧ＶＣ２がスイッチＳＷ２に印加され、トリガ用トランスＴ１から放電管４０にトリガ電圧Ｖ１２が印加され、キセノンガスがイオン化され励起される。そして、上記算出された本発光期間本発光が行われる。本発光時に流れる放電管電流Ｉ１２は、ダイオードＤ１により検出されて、測光制御部３６により放電管電流Ｉ１２が流れ出すタイミングが検出される。測光制御部３６は、放電管電流Ｉ１２がプリ発光時に算出された本発光時間流れたことが検出されたときに発光制御信号を停止させて発光制御電圧ＶＣ２の印加を停止し、放電管電流Ｉ１２が実際に流れる時間を制御する。
【００５６】
本実施形態によれば、放電管電流Ｉ１１が検出された期間（プリ発光期間）を調光積算期間とし、本発光時の放電管電流Ｉ１２の検出期間（本発光期間）を制御して露光期間を制御することにより、プリ発光、調光積算期間の発光バラツキが低減され、本発光を適正に行って、被写体のストロボ照明を適正に行うことができる。
【００５７】
［第４の実施形態］
次に、本発明の第４の実施形態について説明する。図８は、本発明の第４の実施形態に係るストロボ装置を示す回路図である。図８に示すように、放電管（例えば、キセノン管）４０は、発光に必要な発光電圧（ＤＣ３００Ｖ）を蓄えるメインコンデンサＣ２と並列に、スイッチＳＷ１及び電流検出抵抗Ｒ２（ラインインピーダンスを含む）を介して接続されている。電流検出抵抗Ｒ２は、例えば、基準電圧、電圧比較器等から構成される電流検出回路４２に接続されている。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ２に接続されている。
【００５８】
次に、本実施形態の調光制御方法について、図９を参照して説明する。図９は、本発明の第４の実施形態に係る調光制御方法を示すタイミングチャートである。スイッチＳＷ１及びＳＷ２がＯＦＦの間は、電源装置２０から電源入力端子Ａに供給された電力により、トリガ用コンデンサＣ１及びメインコンデンサＣ２に電荷が蓄積される。電源装置２０から端子Ｅを介してプリ発光用のトリガ印加電圧ＶＥ１がスイッチＳＷ２に印加され、スイッチＳＷ２がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。なお、図８に示すように、トリガ電圧Ｖ１１の印加時にトリガ用コンデンサＣ１から一瞬流れるトリガ電流Ｉ２は、電流検出抵抗Ｒ２には流れないようになっている。
【００５９】
次に、電源装置２０から端子Ｃを介してプリ発光用の発光制御電圧ＶＣ１がスイッチＳＷ１に印加され、スイッチＳＷ１がＯＮになると、メインコンデンサＣ２に蓄積された電荷が放電され、放電管４０に放電管電流Ｉ１１が流れて発光エネルギーが与えられ、プリ発光が行われる。
【００６０】
放電管電流Ｉ１１は、電流検出抵抗Ｒ２により検出されて、電流検出回路４２により放電管電流Ｉ１１が流れ出すタイミングが検出され、端子Ｄに出力される。測光制御部３６は、端子Ｄから出力される電流検出出力ＤＩ１１により、放電管電流Ｉ１１が流れ出すタイミングを検出する。測光制御部３６は、電流検出出力ＤＩ１１に基づいて放電管電流Ｉ１１が所定のプリ発光期間流れたことを検出すると、発光制御信号を停止させて発光制御電圧ＶＣ１の印加を停止し、放電管電流Ｉ１１が実際に流れる時間を制御する。
【００６１】
このプリ発光時に撮像素子３２により被写体からの反射光を積算・測定された被写体からの反射光に基づいて、測光制御部３６によって本発光の発光時間が算出される。
【００６２】
本発光時には、プリ発光時と同様に、トリガ印加電圧ＶＥ２がスイッチＳＷ２に印加され、トリガ用トランスＴ１から放電管４０にトリガ電圧Ｖ１２が印加され、キセノンガスがイオン化され励起される。そして、上記算出された本発光期間本発光が行われる。本発光時に流れる放電管電流Ｉ１２は、電流検出抵抗Ｒ２により検出されて、電流検出回路４２により放電管電流Ｉ１２が流れ出すタイミングが検出される。測光制御部３６は、電流検出出力ＤＩ１２に基づいて放電管電流Ｉ１２がプリ発光時に算出された本発光時間流れたことを検出すると、発光制御信号を停止させて発光制御電圧ＶＣ２の印加を停止し、放電管電流Ｉ１２が実際に流れる時間を制御する。
【００６３】
本実施形態によれば、放電管電流Ｉ１１が検出された期間（プリ発光期間）を調光積算期間とし、本発光時の放電管電流Ｉ１２の検出期間（本発光期間）を制御して露光期間を制御することにより、プリ発光、調光積算期間の発光バラツキが低減され、本発光を適正に行って、被写体のストロボ照明を適正に行うことができる。
【００６４】
［第５の実施形態］
次に、本発明の第５の実施形態について説明する。図１０は、本発明の第５の実施形態に係るストロボ装置を示す回路図である。図１０に示すように、放電管（例えば、キセノン管）４０は、発光に必要な発光電圧（ＤＣ３００Ｖ）を蓄えるメインコンデンサＣ２と並列に、スイッチＳＷ１及びダイオードＤ１を介して接続されている。ダイオードＤ１のアノード側は電流検出出力として使用される。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ２に接続されている。
【００６５】
次に、本実施形態の調光制御方法について、図１１を参照して説明する。図１１は、本発明の第５の実施形態に係る調光制御方法を示すタイミングチャートである。スイッチＳＷ１及びＳＷ２がＯＦＦの間は、電源装置２０から電源入力端子Ａに供給された電力により、トリガ用コンデンサＣ１及びメインコンデンサＣ２に電荷が蓄積される。電源装置２０から端子Ｅを介してプリ発光用のトリガ印加電圧ＶＥ１がスイッチＳＷ２に印加され、スイッチＳＷ２がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。なお、図８に示すように、トリガ電圧Ｖ１１の印加時にトリガ用コンデンサＣ１から一瞬流れるトリガ電流Ｉ２は、ダイオードＤ１には流れないようになっている。
【００６６】
次に、電源装置２０から端子Ｃを介してプリ発光用の発光制御電圧ＶＣ１がスイッチＳＷ１に印加され、スイッチＳＷ１がＯＮになると、メインコンデンサＣ２に蓄積された電荷が放電され、放電管４０に放電管電流Ｉ１１が流れて発光エネルギーが与えられ、プリ発光が行われる。
【００６７】
放電管電流Ｉ１１は、ダイオードＤ１により検出されて、端子Ｄに出力される。測光制御部３６は、端子Ｄから出力される電流検出出力ＤＩ１１により、放電管電流Ｉ１１が流れ出すタイミングを検出する。測光制御部３６は、電流検出出力ＤＩ１１に基づいて放電管電流Ｉ１１が所定のプリ発光期間流れたことを検出すると、発光制御信号を停止させて発光制御電圧ＶＣ１の印加を停止し、放電管電流Ｉ１１が実際に流れる時間を制御する。
【００６８】
このプリ発光時に撮像素子３２により被写体からの反射光を積算・測定された被写体からの反射光に基づいて、測光制御部３６によって本発光の発光時間が算出される。
【００６９】
本発光時には、プリ発光時と同様に、トリガ印加電圧ＶＥ２がスイッチＳＷ２に印加され、トリガ用トランスＴ１から放電管４０にトリガ電圧Ｖ１２が印加され、キセノンガスがイオン化され励起される。そして、上記算出された本発光期間本発光が行われる。本発光時に流れる放電管電流Ｉ１２は、ダイオードＤ１により検出されて、測光制御部３６により放電管電流Ｉ１２が流れ出すタイミングが検出される。測光制御部３６は、電流検出出力ＤＩ１２に基づいて放電管電流Ｉ１２がプリ発光時に算出された本発光時間流れたことを検出すると、発光制御信号を停止させて発光制御電圧ＶＣ２の印加を停止し、放電管電流Ｉ１２が実際に流れる時間を制御する。
【００７０】
本実施形態によれば、放電管電流Ｉ１１が検出された期間（プリ発光期間）を調光積算期間とし、本発光時の放電管電流Ｉ１２の検出期間（本発光期間）を制御して露光期間を制御することにより、プリ発光、調光積算期間の発光バラツキが低減され、本発光を適正に行って、被写体のストロボ照明を適正に行うことができる。
【００７１】
［第６の実施形態］
次に、本発明の第６の実施形態について説明する。図１２は、本発明の第６の実施形態に係るストロボ装置を示す回路図である。図１２に示すように、放電管（例えば、キセノン管）４０は、発光に必要な発光電圧（ＤＣ３００Ｖ）を蓄えるメインコンデンサＣ２と並列に、スイッチＳＷ１及びダイオードＤ１を介して接続されている。ダイオードＤ１のアノード側は電流検出出力として使用される。また、放電管４０内のキセノンガスをイオン化して励起するための高圧電圧（約４から５ｋＶ）を発生するためのトリガ用トランスＴ１がメインコンデンサＣ２と並列に、トリガ用コンデンサ充電抵抗Ｒ１及びトリガ用コンデンサＣ１を介して接続されている。更に、トリガ用トランスＴ１の中間タップは、スイッチＳＷ１に接続されている。
【００７２】
電流検出出力端子Ｄは、マスキング回路４４に接続されている。マスキング回路４４は、発光制御電圧ＶＣの立ち上がり時（印加開始時）に、トリガ用コンデンサＣ１から一瞬流れるトリガ電流Ｉ２をマスキングして、トリガ電流Ｉ２と放電管電流Ｉ１とを誤検出しないようにする。
【００７３】
次に、本実施形態の調光制御方法について、図１３を参照して説明する。図１３は、本発明の第６の実施形態に係る調光制御方法を示すタイミングチャートである。スイッチＳＷ１及びＳＷ２がＯＦＦの間は、電源装置２０から電源入力端子Ａに供給された電力により、トリガ用コンデンサＣ１及びメインコンデンサＣ２に電荷が蓄積される。電源装置２０から端子Ｃを介してプリ発光用の発光制御電圧ＶＣ１がスイッチＳＷ１に印加され、スイッチＳＷ１がＯＮになると、トリガ用コンデンサＣ１に蓄積された電荷がトリガ用トランスＴ１の１次巻線を介して放電され、その２次巻線に高周波高電圧（トリガ電圧Ｖ１１）を発生する。このトリガ電圧Ｖ１１は、放電管４０の管壁に印加され、放電管４０内のキセノンガスがイオン化され励起する。
【００７４】
そして、メインコンデンサＣ２に蓄積された電荷が放電され、放電管４０に放電管電流Ｉ１１が流れて発光エネルギーが与えられ、プリ発光が行われる。
【００７５】
放電管電流Ｉ１１は、ダイオードＤ１により検出されて、端子Ｄに出力される。マスキング回路４４は、発光制御電圧ＶＣの立ち上がり時（印加開始時）に電流検出出力ＤＩ２１をマスキングし、発光制御電圧ＶＣの立ち上がり後の電流検出出力ＤＩ１１をマスキング出力端子Ｇに出力する。測光制御部３６は、マスキング出力端子Ｇから出力されるマスキング出力Ｍ１により、放電管電流Ｉ１１が流れ出すタイミングを検出する。測光制御部３６は、マスキング出力Ｍ１に基づいて放電管電流Ｉ１１が所定のプリ発光期間流れたことを検出すると、発光制御信号を停止させて発光制御電圧ＶＣ１の印加を停止し、放電管電流Ｉ１１が実際に流れる時間を制御する。
【００７６】
このプリ発光時に撮像素子３２により被写体からの反射光を積算・測定された被写体からの反射光に基づいて、測光制御部３６によって本発光の発光時間が算出される。
【００７７】
本発光時には、プリ発光時と同様に、発光制御電圧ＶＣ２がスイッチＳＷ１に印加され、トリガ用トランスＴ１から放電管４０にトリガ電圧Ｖ１２が印加され、キセノンガスがイオン化され励起される。そして、上記算出された本発光期間本発光が行われる。本発光時に流れる放電管電流Ｉ１２は、ダイオードＤ１により検出されて電流検出出力端子Ｄに出力される。マスキング回路４４は、発光制御電圧ＶＣの立ち上がり時（印加開始時）に電流検出出力ＤＩ２２をマスキングし、発光制御電圧ＶＣの立ち上がり後の電流検出出力ＤＩ１２をマスキング出力端子Ｇに出力する。測光制御部３６は、マスキング出力端子Ｇから出力されるマスキング出力Ｍ２により、放電管電流Ｉ１２が流れ出すタイミングを検出する。測光制御部３６は、マスキング出力Ｍ２に基づいて放電管電流Ｉ１２がプリ発光時に算出された本発光時間流れたことを検出すると、発光制御信号を停止させて発光制御電圧ＶＣ２の印加を停止し、放電管電流Ｉ１２が実際に流れる時間を制御する。
【００７８】
本実施形態によれば、マスキング回路４４を用いて発光制御電圧ＶＣの立ち上がり時に流れるトリガ電流Ｉ２の検出出力をマスキングすることにより、放電管電流Ｉ１が流れ出すタイミングを正確に検出することができる。これにより、プリ発光時に放電管電流Ｉ１１が検出された期間（プリ発光期間）を調光積算期間とし、本発光時の放電管電流Ｉ１２の検出期間（本発光期間）を露光期間として発光制御を行う際に、調光積算期間及び露光期間を正確に制御できるので、プリ発光、調光積算期間の発光バラツキが低減され、本発光を適正に行って、被写体のストロボ照明を適正に行うことができる。なお、本実施形態では、電流検出用のダイオードＤ１に代えて、電流検出回路及び電流検出抵抗を設けてもよい。
【００７９】
［第７の実施形態］
次に、本発明の第７の実施形態について説明する。図１４は、本発明の第７の実施形態に係るストロボ装置を示す回路図である。図１４に示すように、本実施形態のストロボ装置は、発光ダイオード（ＬＥＤ）を光源とするＬＥＤストロボである。発光ダイオードＬＥＤ１は、発光に必要なＤＣ電源が入力される電源入力端子Ａ、制御スイッチＳＷ１及び電流検出抵抗Ｒ１０と接続されている。なお、制御スイッチＳＷ１は、例えば、ＦＥＴにより構成される。平滑コンデンサＣ１０は、電源入力端子Ａから入力されるＤＣ電源により充電され、制御スイッチＳＷ１のＯＮ時にＬＥＤ１に流れる電流量を確保するとともに、制御スイッチＳＷ１のＯＦＦ時に回路内の余分な電流量を吸収するためのものである。
【００８０】
電流検出抵抗Ｒ１０は、例えば、基準電圧及び電圧比較器等から構成される電流検出回路５０に接続されている。電流検出回路５０の電流検出出力端子は、定電流制御回路５２に接続されている。定電流制御回路５２は、電流検出回路５０からの電流検出出力に基づいて、制御スイッチＳＷ１を制御してＬＥＤ１に流れる電流Ｉ１が一定になるように制御する。
【００８１】
次に、本実施形態の調光制御方法について、図１５を参照して説明する。図１５は、本発明の第７の実施形態に係る調光制御方法を示すタイミングチャートである。電源装置２０から端子Ｃを介してプリ発光用の発光制御電圧ＶＣ１が制御スイッチＳＷ１に印加され、スイッチＳＷ１がＯＮになると、電源装置２０から電源入力端子Ａを介してＬＥＤ１及び電流検出抵抗Ｒ１０にＬＥＤ電流Ｉ１１が流れる。
【００８２】
ＬＥＤ電流Ｉ１１は、電流検出抵抗Ｒ１０により検出されて、電流検出回路５０に入力される。電流検出回路５０は、電流検出抵抗Ｒ１０からの入力に基づいて、電流検出出力信号を定電流制御回路５２に入力する。定電流制御回路５２は、電流検出回路５０からの電流検出出力信号に基づいて、制御スイッチＳＷ１に印加される電圧を制御して、ＬＥＤ電流Ｉ１１が一定になるように制御する。これにより、プリ発光期間中にＬＥＤ電流Ｉ１１が一定の状態が維持される。
【００８３】
このプリ発光時に撮像素子３２により被写体からの反射光を積算・測定された被写体からの反射光に基づいて、測光制御部３６によって本発光の発光時間が算出される。
【００８４】
本発光時には、プリ発光時と同様に、発光制御電圧ＶＣ２が制御スイッチＳＷ１に印加され、電源装置２０から電源入力端子Ａを介してＬＥＤ１及び電流検出抵抗Ｒ１０にＬＥＤ電流Ｉ１２が流れる。ＬＥＤ電流Ｉ１２の電流検出出力信号は、電流検出回路５０から定電流制御回路５２に入力され、制御スイッチＳＷ１が制御される。これにより、ＬＥＤ電流Ｉ１２が一定になるように制御される。
【００８５】
本実施形態によれば、ＬＥＤ１の順電圧Ｖｆのバラツキのために、ＬＥＤ電流Ｉ１が変動して生じる発光バラツキを低減することができ、被写体のストロボ照明を適正に行うことができる。
【００８６】
［第８の実施形態］
次に、本発明の第８の実施形態について説明する。なお、ストロボ装置２４の構成については、図１４と同様である。
【００８７】
図１６は、本発明の第８の実施形態に係る調光制御方法を示すタイミングチャートである。電源装置２０から端子Ｃを介してプリ発光用の発光制御電圧ＶＣ１が制御スイッチＳＷ１に印加され、制御スイッチＳＷ１がＯＮになると、電源装置２０から電源入力端子Ａを介してＬＥＤ１及び電流検出抵抗Ｒ１０にＬＥＤ電流Ｉ１１が流れる。
【００８８】
ＬＥＤ電流Ｉ１１は、電流検出抵抗Ｒ１０により検出されて、電流検出回路５０に入力される。電流検出回路５０は、電流検出抵抗Ｒ１０からの入力に基づいて、電流検出出力信号を定電流制御回路５２に入力する。定電流制御回路５２は、電流検出回路５０からの電流検出出力信号に基づいて、制御スイッチＳＷ１に印加される電圧を制御して、ＬＥＤ電流Ｉ１１が一定になるように制御する。これにより、プリ発光期間中にＬＥＤ電流Ｉ１１が一定の状態が維持される。
【００８９】
測光制御部３６は、発光制御電圧ＶＣ１の印加開始後、ＬＥＤ電流Ｉ１１が安定する迄の間は、被写体からの反射光の測定を行わず、ＬＥＤ電流Ｉ１１が一定値で安定している期間に、撮像素子３２により被写体からの反射光を積算・測定する。また、測光制御部３６は、反射光の積算期間（調光積算期間）の終了後に、発光制御電圧ＶＣ１の印加を停止する。そして、撮像素子３２により測定された被写体からの反射光に基づいて、測光制御部３６によって本発光の発光時間を算出する。
【００９０】
本発光時には、プリ発光時と同様に、発光制御電圧ＶＣ２が制御スイッチＳＷ１に印加され、電源装置２０から電源入力端子Ａを介してＬＥＤ１及び電流検出抵抗Ｒ１０にＬＥＤ電流Ｉ１２が流れる。ＬＥＤ電流Ｉ１２の電流検出出力信号は、電流検出回路５０から定電流制御回路５２に入力され、制御スイッチＳＷ１が制御される。これにより、ＬＥＤ電流Ｉ１２が一定になるように制御される。測光制御部３６は、発光制御電圧ＶＣ２の印加開始後、ＬＥＤ電流Ｉ１２が安定する迄の間は、被写体からの反射光の測定を行わず、ＬＥＤ電流Ｉ１２が一定値で安定している期間に、撮像素子３２により被写体を撮像する。また、測光制御部３６は、撮像（露光期間）の終了後に、発光制御電圧ＶＣ１の印加を停止する。
【００９１】
本実施形態によれば、ＬＥＤ電流Ｉ１が安定している期間を見込んで調光積算時間及び露光期間とすることにより、積算時及び撮像時における発光バラツキを低減することができ、被写体のストロボ照明を適正に行うことができる。
【００９２】
［第９の実施形態］
次に、本発明の第９の実施形態について説明する。図１７は、本発明の第９の実施形態に係るストロボ装置を示す回路図である。図１７に示すように、本実施形態のストロボ装置は、発光ダイオード（ＬＥＤ）を光源とするＬＥＤストロボである。発光ダイオードＬＥＤ１は、発光に必要なＤＣ電源が入力される電源入力端子Ａ、制御スイッチＳＷ１（例えば、ＦＥＴ）及び電流検出抵抗Ｒ１０と接続されている。平滑コンデンサＣ１０は、電源入力端子Ａから入力されるＤＣ電源により充電され、制御スイッチＳＷ１のＯＮ時にＬＥＤ１に流れる電流量を確保するとともに、制御スイッチＳＷ１のＯＦＦ時に回路内の余分な電流量を吸収するためのものである。
【００９３】
電流検出抵抗Ｒ１０は、例えば、基準電圧及び電圧比較器等から構成される電流検出回路５０に接続されている。電流検出回路５０の電流検出出力端子は、定電流制御回路５２に接続されている。定電流制御回路５２は、電流検出回路５０からの電流検出出力に基づいて、制御スイッチＳＷ１を制御してＬＥＤ１に流れる電流Ｉ１が一定になるように制御する。
【００９４】
電流検出回路５０からの電流検出出力は、測光制御部３６にも入力される。測光制御部３６は、この電流検出出力に基づいてＬＥＤ電流Ｉ１が一定で安定している期間を検出し、撮像素子３２による調光積算時間及び露光時間を決定する。
【００９５】
次に、本実施形態の調光制御方法について、図１８を参照して説明する。図１８は、本発明の第９の実施形態に係る調光制御方法を示すタイミングチャートである。電源装置２０から端子Ｃを介してプリ発光用の発光制御電圧ＶＣ１が制御スイッチＳＷ１に印加され、制御スイッチＳＷ１がＯＮになると、電源装置２０から電源入力端子Ａを介してＬＥＤ１及び電流検出抵抗Ｒ１０にＬＥＤ電流Ｉ１１が流れる。
【００９６】
ＬＥＤ電流Ｉ１１は、電流検出抵抗Ｒ１０により検出されて、電流検出回路５０に入力される。電流検出回路５０は、電流検出抵抗Ｒ１０からの入力に基づいて、電流検出出力信号を定電流制御回路５２に入力する。定電流制御回路５２は、電流検出回路５０からの電流検出出力信号に基づいて、制御スイッチＳＷ１に印加される電圧を制御して、ＬＥＤ電流Ｉ１１が一定になるように制御する。これにより、プリ発光期間中にＬＥＤ電流Ｉ１１が一定の状態が維持される。
【００９７】
測光制御部３６は、電流検出回路５０からの電流検出出力信号に基づいて、ＬＥＤ電流Ｉ１１が安定したかどうかを判断する。そして、ＬＥＤ電流Ｉ１１が一定値で安定している期間に、撮像素子３２により被写体からの反射光を積算・測定する。そして、撮像素子３２により測定された被写体からの反射光に基づいて、測光制御部３６によって本発光の発光時間が算出される。
【００９８】
本発光時には、プリ発光時と同様に、発光制御電圧ＶＣ２が制御スイッチＳＷ１に印加され、電源装置２０から電源入力端子Ａを介してＬＥＤ１及び電流検出抵抗Ｒ１０にＬＥＤ電流Ｉ１２が流れる。ＬＥＤ電流Ｉ１２の電流検出出力信号は、電流検出回路５０から定電流制御回路５２に入力され、制御スイッチＳＷ１が制御される。これにより、少なくとも測光制御部３６により算出された本発光の発光時間、ＬＥＤ電流Ｉ１２が一定になるように制御される。測光制御部３６は、ＬＥＤ電流Ｉ１２が一定値で安定している期間を露光期間として、撮像素子３２により被写体を撮像する。
【００９９】
本実施形態によれば、ＬＥＤ電流Ｉ１が安定している期間を検出して調光積算時間及び露光期間とすることにより、積算時及び撮像時における発光バラツキを低減することができ、被写体のストロボ照明を適正に行うことができる。
【０１００】
なお、上記の各実施形態では、ストロボ装置２４を撮影装置１０に内蔵した例について説明したが、本発明は単体のストロボ装置にも適用できる。単体のストロボ装置に本発明を適用する場合には、プリ発光時に被写体からの反射光を測定するための測光センサと、測光制御部３６を含む構成とすればよい。
【図面の簡単な説明】
【０１０１】
【図１】本発明の一実施形態に係るストロボ装置を備える撮影装置（電子カメラ）の主要構成を示すブロック図
【図２】本発明の第１の実施形態に係るストロボ装置を示す回路図
【図３】本発明の第１の実施形態に係る調光制御方法を示すタイミングチャート
【図４】本発明の第２の実施形態に係るストロボ装置を示す回路図
【図５】本発明の第２の実施形態に係る調光制御方法を示すタイミングチャート
【図６】本発明の第３の実施形態に係るストロボ装置を示す回路図
【図７】本発明の第３の実施形態に係る調光制御方法を示すタイミングチャート
【図８】本発明の第４の実施形態に係るストロボ装置を示す回路図
【図９】本発明の第４の実施形態に係る調光制御方法を示すタイミングチャート
【図１０】本発明の第５の実施形態に係るストロボ装置を示す回路図
【図１１】本発明の第５の実施形態に係る調光制御方法を示すタイミングチャート
【図１２】本発明の第６の実施形態に係るストロボ装置を示す回路図
【図１３】本発明の第６の実施形態に係る調光制御方法を示すタイミングチャート
【図１４】本発明の第７の実施形態に係るストロボ装置を示す回路図
【図１５】本発明の第７の実施形態に係る調光制御方法を示すタイミングチャート
【図１６】本発明の第８の実施形態に係る調光制御方法を示すタイミングチャート
【図１７】本発明の第９の実施形態に係るストロボ装置を示す回路図
【図１８】本発明の第９の実施形態に係る調光制御方法を示すタイミングチャート
【符号の説明】
【０１０２】
１０…撮影装置（電子カメラ）、１２…ＣＰＵ、１４…操作部、１６…ＲＯＭ、１８…ＲＡＭ、２０…電源装置、２２…撮像部、２４…オートストロボ装置、２６…モニタ、２８…メモリカード、３０…メモリカード接続用インターフェース（Ｉ／Ｆ）、３２…撮像素子、３４…デジタル信号処理部、３６…測光制御部、ＳＷ１、ＳＷ２…スイッチ、Ｔ１…トリガ用トランス、Ｃ１…トリガ用コンデンサ、Ｃ２…メインコンデンサ
【図１】
2008009052.tif 000003
【図２】
2008009052.tif 000004
【図３】
2008009052.tif 000005
【図４】
2008009052.tif 000006
【図５】
2008009052.tif 000007
【図６】
2008009052.tif 000008
【図７】
2008009052.tif 000009
【図８】
2008009052.tif 000010
【図９】
2008009052.tif 000011
【図１０】
2008009052.tif 000012
【図１１】
2008009052.tif 000013
【図１２】
2008009052.tif 000014
【図１３】
2008009052.tif 000015
【図１４】
2008009052.tif 000016
【図１５】
2008009052.tif 000017
【図１６】
2008009052.tif 000018
【図１７】
2008009052.tif 000019
【図１８】
2008009052.tif 000020